(57)【要約】【課題】ユニバーサルデザインの考え方に基づき、主に、詰め替え用のシャンプーや洗剤、牛乳パック、レトルトや食品用の容器等に用いられるパウチの「開封しやすさ」および「開封箇所や開封方向のわかりやすさ」の向上を目指して、幅広い年代の消費者がスムースにパウチを使用することが可能なユニバーサルデザインに基づいたパウチを提供することを課題とする。【解決手段】上記課題を解決するために、本発明の請求項１記載の発明は、フィルム外周をヒートシールしてなるパウチにおいて、前記パウチの開封部分が、パウチの上シールより上方へと突出したシール形状からなる把持部を形成することにより、前記開封部分の把持部形状が略プルタブ形状を形成することを特徴とする、ユニバーサルデザインパウチである。【選択図】図１
2008120427.tif 000002
【特許請求の範囲】
【請求項１】
フィルム外周をヒートシールしてなるパウチにおいて、前記パウチの開封部分に、前記パウチの上シールより上方へと突出したシール形状からなる把持部を形成することにより、前記開封部分の把持部形状が、略プルタブ形状を形成することを特徴とする、ユニバーサルデザインパウチ。
【請求項２】
前記把持部に、スリット若しくは貫通孔からなる指掛部を形成したことを特徴とする、請求項１記載のユニバーサルデザインパウチ。
【請求項３】
前記指掛部は、パウチの開封方向を示す形状を有することを特徴とする、請求項１乃至２記載のユニバーサルデザインパウチ。
【請求項４】
前記把持部の下方に幅広なシールからなるパウチ保持部を形成したことを特徴とする、請求項１乃至３記載のユニバーサルデザインパウチ。
【発明の詳細な説明】
【技術分野】
【０００１】
本発明は、環境および使う人（消費者）への配慮を重視したユニバーサルデザインに対応したパウチ（ユニバーサルデザインパウチ）に関する。
【背景技術】
【０００２】
従来、主にレトルト食品や、詰め替え用の洗剤、或いは無菌包装食品、鮮度保持包装食品、医薬品等の内容物を密封包装した、図１１に示すような、包装体１０（パウチ１０）が知られている（例えば、特許文献１）。
【０００３】
このパウチ１０は、通常、上シール２、左右シール３、下シール４の計４辺に直線状のヒートシール（シール）を施して、略四角形状の外形を有するパウチ１０を形成し、前記左右シール３にパウチの開封起点となる切欠き９（ノッチ９）が形成されている。そして、パウチ開封時、図１２に示すように、前記ノッチ９を起点に前記上シール２を含むフィルム（切取片Ｚ）を、開封方向（図中点線矢印）に沿って切除することによりパウチ１０の開封を行なうものである。
【０００４】
しかしながら、このパウチ１０は、前記ノッチ９上下部分のフィルムをそれぞれつまんで、フィルムを引き裂きづらいという問題があった。すなわち、ノッチ９上下部分のフィルムは、指先で強固につまむためのシール部分が少なく、フィルムをつまむ手が滑りやすいため力を加えてフィルムを引き裂くことが困難である。また、前記パウチ１０の形状は、通常、パウチの４隅Ｒが同形状を有しているため、パウチ１０の開封箇所がわかりづらいという問題もある。このため、高齢者や障害を持つ人にとっては、パウチ１０の開封操作自体が困難であった。
【０００５】
他方、近年できるだけ多くの人が利用可能であるようデザインすることを念頭に開発されたユニバーサルデザイン商品があり、ユニバーサルデザイン商品の一例としては、安全に配慮された自動ドア、エレベータや、外国人などのために、文字の代わりに絵文字を使っての各種表示を行うものや、シャンプーのボトルに凹凸加工による印をつけ、リンスその他のボトルと区別するものがある。
【０００６】
このようにユニバーサルデザインの目的としては、だれでも公平に使えること、使う上で自由度が高いこと、使い方が簡単で、すぐに分かること、必要な情報がすぐに分かること、うっかりミスが危険につながらないこと、身体への負担が少ないこと、利用するための十分な大きさと空間を確保すること、を目的としており、今後、このようなユニバーサルデザインに沿った様々な商品の開発が望まれている。
【０００７】
【特許文献１】特開平０８−０８０９７７号公報
【発明の開示】
【発明が解決しようとする課題】
【０００８】
本発明者らは、このようなユニバーサルデザインの考え方に基づき、上記パウチ１０の「開封しやすさ」および「開封位置や開封方向のわかりやすさ」の向上を目指し、幅広い年代の消費者が、スムースにパウチ１０を使用することが可能なユニバーサルデザインに基づいたパウチ１０を提供することを課題とする。
【課題を解決するための手段】
【０００９】
これらの課題を解決するため、本発明の請求項１記載の発明は、フィルム外周をヒートシールしてなるパウチにおいて、前記パウチの開封部分に、前記パウチの上シールより上方へと突出したシール形状からなる把持部を形成することにより、前記開封部分の把持部形状が、略プルタブ形状を形成することを特徴とする、ユニバーサルデザインパウチである。
【００１０】
また、請求項２記載の発明は、前記把持部に、スリット若しくは貫通孔からなる指掛部を形成したことを特徴とする、ユニバーサルデザインパウチである。
【００１１】
また、請求項３記載の発明は、前記指掛部は、パウチの開封方向を示す形状を有することを特徴とする、ユニバーサルデザインパウチである。
【００１２】
また、請求項４記載の発明は、前記把持部の下方に幅広なシールからなるパウチ保持部を形成したことを特徴とする、ユニバーサルデザインパウチである。
【発明の効果】
【００１３】
このように、本発明の請求項１記載の発明は、フィルム外周をヒートシールしてなるパウチにおいて、前記パウチの開封部分に、前記パウチの上シールより上方へと突出したシール形状からなる把持部を形成することにより、前記開封部分の把持部形状が、略プルタブ形状を形成することを特徴とするから、パウチの開封箇所および開封方向を直感的に認識することが可能であるとともに、パウチ開封時、プルタブを引く感覚で、容易にパウチを開封することが可能である。また、パウチの開封時、切取片を切り取り方向へと引く際に、指先がパウチの上シール部分に当接してしまうことなく、スムースにパウチの開封を行なうことが可能である。よって、切取片を側方や上方から持ちパウチの開封操作を行なった場合でも、常にパウチの開封をスムースに行なうことが可能である。
【００１４】
また、請求項２記載の発明は、前記把持部に、スリット若しくは貫通孔からなる指掛部を形成したことを特徴とするから、パウチ開封時、指掛部に指先を掛けることにより、フィルムをつまむ指先が滑ることなく、強固にフィルムを引きつつスムースにパウチの開封を行なうことが可能である。
【００１５】
また、請求項３記載の発明は、前記指掛部は、パウチの開封方向を示す形状を有することを特徴とするから、パウチの開封方向を直感的に認識することが可能である。
【００１６】
また、請求項４記載の発明は、前記把持部の下方に幅広なシールからなるパウチ保持部を形成したことを特徴とするから、パウチを安定して保持することが可能であるとともに、パウチの開封を安定かつスムースに行なうことが可能である。
【発明を実施するための最良の形態】
【００１７】
本発明のユニバーサルパウチ１０（パウチ１０）の一例としては、図１に示すように、パウチ１０の中央部分に、予め所定の方法により内容物が充填される未シール部分からなる収容部１を有し、該収容部１の外周（上シール２、左右シール３、下シール４）の計４辺にヒートシールが施されて４方シールパウチ１０を形成している。このようなパウチ１０としては、４方シール形式のパウチに限らず、スタンドパウチや、ガゼット袋やピロー袋など、フィルムの外周をシールしてなるパウチであれば、パウチの種類や形状は限定されるものではない。
【００１８】
前記パウチ１０の左シール３の一端部分には、パウチ開封時に前記上シール２を含む切取片Ｚを開封方向（水平方向）へと切除する際の開封起点となる切欠き９（ノッチ９）が形成され、該ノッチ９の上方には、前記上シール２より上方へと突出したシール形状を有する、幅広なシールからなる把持部８が形成されている。このため把持部８の全体形状が略プルタブ形状Ｐを形成している。
【００１９】
このように、パウチ１０の開封部分のフォルムを略プルタブ形状Ｐとすることにより、後述する、パウチ１０の開封箇所のみならず開封方向、さらにはパウチ１０の開封方法を直感的に認識可能な効果がある。また、前記把持部８は、前記上シール２よりも上方へと突出したプルタブ形状Ｐを有しており、このため、後述する、パウチ１０の開封時において、切取片Ｚを切り取り方向へと引く際に、切取片Ｚをつまんだ指先Ｙがパウチの上シール２に当接することなく、スムースに切取片Ｚを開封方向へと引いてパウチ１０の開封を行なうことが可能である。
【００２０】
そして、プルタブ形状Ｐの前記把持部８には、パウチ１０の開封方向を示す略矢印形状の貫通孔Ｋからなる指掛部５が形成されており、該指掛部５に指を掛けることにより、パウチ開封時において、切取片Ｚをつまむ指先がすべることなく、強固かつ確実に切取片Ｚを切除することが可能である。また、前記把持部８の下方には、幅広なシールからなるパウチ保持部６が形成されており、後述する、パウチ開封時や内容物の取り出し時において、パウチ１０を安定して保持することが可能な効果がある。
【００２１】
以下に、本発明のユニバーサルデザインパウチ１０（パウチ１０）の構成およびパウチ１０の開封操作について説明する。
本発明のユニバーサルデザインパウチ１０は、図２に示すように、パウチ１０の外周に、上シール２、左右シール３、下シール４からなるヒートシールが施され、前記左シール３の上方には、パウチ１０の開封起点となる切欠き９からなるノッチ９が形成されている。そして、パウチ開封時、前記ノッチ９を起点に開封方向（図中点線Ｆ）へとパウチ１０を引き裂くことにより、前記上シール２を含むフィルムからなる切取片Ｚを切除して、パウチ１０の開封を行なうものである。
【００２２】
特に、前記ノッチ９上方には、前記上シール２より上方へと突出Ｔした幅広なシールからなる把持部８が形成されており、このため、把持部８の全体形状が略プルタブ形状Ｐ（図中点線枠Ｐ）をなしている。そして、前記把持部８には、貫通孔Ｋからなる指掛部５が形成されており、該指掛部５の形状は、パウチ１０の開封方向を示す略矢印形状を有している。
【００２３】
よって、パウチ１０の開封箇所のみならず開封方向が一目で認識可能であるとともに、図３に示すように、把持部８に形成された前記指掛部５に指先を挿入しつつ、図４に示すように、パウチ１０の開封操作を、プルタブＰを引くような感覚で行なうことが可能である。また、前記把持部８のシール形状は、前記上シール２よりも上方へと突出したシール形状を有しており、このため、パウチ開封時、切取片Ｚをつまんだ指先Ｙがパウチ１０の上シール２に当接することなく、切取片Ｚを切り取り方向へとスムースに引きつつパウチ１０の開封を行なうことが可能である。
【００２４】
特に、前記把持部８に形成された前記貫通孔Ｋへと、指先を掛けつつ把持部８のフィルムをつまむことにより、図５に示すように、前記貫通孔Ｋの外側フィルムが折れ曲がるとともに、指先にフィットした湾曲面Ｗを形成することとなる。よって、貫通孔Ｋに指先を掛けた状態で、力を加えて前記切取片Ｚを引くことが可能であり、フィルムをつまむ指が滑ることなく、より少ない力でもって確実にパウチ１０の開封を行なうことが可能である。また、把持部８の下方に形成された幅広なシールからなるパウチ保持部６をつまむことにより、パウチ１０を安定して保持しつつスムースにパウチ１０の開封を行なうことが可能である。
【００２５】
以上のように、本発明のユニバーサルデザインパウチ１０は、該パウチ１０の開封部分が上シール２より上方へと突出したシール形状からなる把持部８を形成する簡単な構成により、パウチ開封部分の把持部形状８が略プルタブ形状Ｐを形成するため、パウチ１０の開封箇所を容易に認識することが可能であるとともに、幅広な把持部をしっかりつまんでパウチ１０を開封することが可能である。
【００２６】
また、前記把持部８に、スリットＳ若しくは貫通孔Ｋからなる指掛部５を形成する簡単な構成により、パウチ開封時、切取片Ｚをつまむ指先が滑ることなく、指掛部５に指先を掛けつつ切取片Ｚを強固に引いてパウチ１０の開封操作を確実に行なうことが可能である。
【００２７】
特に、前記指掛部５の形状が、パウチ１０の開封方向を示す形状（矢印形状）を有することにより、パウチ１０の開封方向を一目で認識することが可能であるとともに、さらには、前記把持部８の下方に幅広なシールからなるパウチ保持部６を形成することにより、パウチ１０の開封をより安定して行なうことが可能であるとともに、パウチの内容物を注ぎやすくなる効果がある。
【００２８】
前記把持部８に形成された前記指掛部５は、前記貫通孔Ｋのみならず、図６に示すように、スリットＳであってもよく、この場合、把持部８を指先でつまむとともに、図７に示すように、スリットＳに沿って把持部８が折れ曲がり、指先にフィットした湾曲面Ｗを形成することとなる。よって、把持部８の湾曲面Ｗを指先でつまんだ状態で、力を加えて前記切取片Ｚを引くことが可能であり、フィルムをつまむ指が滑ることなく、少ない力でもって確実にパウチ１０の開封を行なうことが可能である。
【００２９】
また、前記スリットＳは、パウチの開封方向へと凸形状を有する略弓形状とすることにより、前記指掛部５を簡単に形成することが可能であるとともに、パウチ１０の開封方向を直感的に認識することが可能な効果がある。
【００３０】
他方、前記把持部８に、前記指掛部５を必ずしも形成する必要はなく、例えば図８に示すように、幅広なシールからなるプルタブ形状Ｐの把持部８と、該把持部８下方のパウチ保持部６とをつまんで、パウチ１０を開封しても、図９に示すように、幅広なシール部分からなる把持部８およびパウチ保持部６をしっかりつまんで、安定かつ容易にパウチ１０を開封することが可能である。
【００３１】
また、前記把持部８に前記指掛部５を形成した場合、図１０に示すように、パウチ１０をボイル等の熱湯調理をする際に、熱したパウチ１０に直接手で触れることなく、前記指掛部５に箸やスプーンの柄等の棒状部材Ｂを挿入して、熱したパウチ１０をぶら下げることが可能である。よって、安全かつスムースにパウチ１０を扱うことが可能であり、パウチ１０の使用性が向上する効果がある。
【００３２】
本発明のユニバーサルデザインパウチ１０の好適な用途の一例としては、例えば、詰め替え用のシャンプーや洗剤、牛乳パック、レトルトや食品用の容器、歯磨き粉チューブ、さらには、紙にアルミを蒸着したシップの包装材など、パウチ１０の「開封しやすさ」や「開封箇所や開封方向のわかりやすさ」を向上することが可能な容器形態であれば、パウチ１０の形態や形状は特に限定されるものではない。
【００３３】
また、本発明のパウチ１０に用いるフィルムは、主にプラスチックフィルムを主体とする積層フィルムが用いられ、例えば、液体を含む各種食品用パウチに用いられている従来公知の積層フィルムを用いることができ、特に限定されるものではない。
【００３４】
前記積層フィルムの構成としては、充填される流動食の種類や充填後の加圧加熱殺菌時に加えられる加熱条件などによって適宜選定することができ、好適に用いられる前記積層フィルムの一例としては、下記に示す構成の積層フィルムが挙げられる。
（１） ＰＥＴフィルム／接着剤／アルミニウム箔／接着剤／ＯＮフィルム／接着剤／ＣＰＰフィルム（シーラント層）
（２）ＰＥＴフィルム／接着剤／ＯＮフィルム／接着剤／アルミニウム箔／接着剤／ＣＰＰフィルム（シーラント層）
（３）ＰＥＴフィルム／接着剤／ＥＶＯＨフィルム／接着剤／ＯＮフィルム／接着剤／ＣＰＰフィルム（シーラント層）
（４）ＰＥＴフィルム／接着剤／一軸延伸ＰＰフィルム／接着剤／アルミニウム箔／接着剤／ＣＰＰフィルム（シーラント層）
（５）ＰＥＴフィルム／接着剤／（シリカまたはアルミナ蒸着層）ＯＮフィルム／接着剤／ＣＰＰフィルム（シーラント層）
【００３５】
上記構成において、ＰＥＴフィルムは２軸延伸ポリエチレンテレフタレートフィルム、ＯＮフィルムは２軸延伸ナイロンフィルム、ＰＰフィルムはポリプロピレンフィルム、ＣＰＰフィルムは無延伸ポリプロピレンフィルム、ＥＶＯＨフィルムはエチレン−酢酸ビニル共重合体ケン化物フィルム、（シリカまたはアルミナ蒸着層）ＯＮフィルムはシリカまたはアルミナを蒸着した２軸延伸ナイロンフィルムを指すものである。
【００３６】
前記ＰＥＴフィルムやＯＮフィルムは、基材フィルムとして作用し、パウチに機械的強度のほか耐熱性、印刷適性などを付与する。また、中間層のアルミニウム箔、ＥＶＯＨフィルム、（シリカまたはアルミナ蒸着層）ＯＮフィルムは、パウチにガスバリヤー性を付与することが可能である。一軸延伸ＰＰフィルムは、本発明のパウチ１０では、その延伸方向がパウチを開封する方向と一致するように積層することにより、切取片Ｚのフィルムを切除する際、開封方向に沿って容易にフィルムを切り取ることが可能である。
【００３７】
また、最内層の前記ＣＰＰフィルムは、ヒートシール用のシーラント層として作用すると共に、耐熱性、低臭性に優れるので、パウチごと加圧加熱殺菌される流動食用のパウチには好ましく用いられる。尚、上述した各フィルム材と同様な作用効果を有するものであれば、前記の積層構成に限定されるものではなく適宜変更してもよい。
【図面の簡単な説明】
【００３８】
【図１】本発明のパウチの一例を示す図である。
【図２】本発明のパウチを示す正面図である。
【図３】本発明のパウチの開封時を示す説明図である。
【図４】本発明のパウチの開封時を示す説明図である。
【図５】本発明のパウチの開封時を示す説明図である。
【図６】本発明のパウチの別の例を示す図である。
【図７】本発明のパウチの開封時を示す説明図である。
【図８】本発明のパウチの開封時を示す説明図である。
【図９】本発明のパウチの開封時を示す説明図である。
【図１０】本発明のパウチの使用時の一例を示す説明図である。
【図１１】従来のパウチを示す図である。
【図１２】従来のパウチの開封時を示す説明図である。
【符号の説明】
【００３９】
１  収容部
２  上シール
３  左右シール
４  下シール
５  指掛部
６  パウチ保持部
８  把持部
９  ノッチ
１０  ユニバーサルデザインパウチ（パウチ）
Ｓ  スリット
Ｋ  貫通孔
Ｚ  切取片
Ｐ  プルタブ形状（プルタブ）
【図１】
2008120427.tif 000003
【図２】
2008120427.tif 000004
【図３】
2008120427.tif 000005
【図４】
2008120427.tif 000006
【図５】
2008120427.tif 000007
【図６】
2008120427.tif 000008
【図７】
2008120427.tif 000009
【図８】
2008120427.tif 000010
【図９】
2008120427.tif 000011
【図１０】
2008120427.tif 000012
【図１１】
2008120427.tif 000013
【図１２】
2008120427.tif 000014